(57)【要約】 【課題】外周面に凹溝を有する大口径のフレキシブル排水管でも管継手から抜けない接続方法及び接続構造を提供するものである。【解決手段】排水管の接続構造１を、凹溝２１を有した排水管２と、排水管２の凹溝２１に嵌入される抜け止め部材３と、抜け止め部材３が嵌入された排水管（「嵌入済排水管２２」という。）２に外嵌される管継手４と、で構成する。排水管２の凹溝２１に合成樹脂製の抜け止め部材３を嵌入する第１の工程と、抜け止め部材３の外周面及び管継手４の内周面に、接着剤７を塗布後、嵌入済排水管２２に管継手４を圧入して、抜け止め部材３の外周面に管継手４の内周面を接着させる第２の工程と、を順に行なう。【選択図】図１
2011190842.tif 000002
【特許請求の範囲】
【請求項１】
合成樹脂製で可撓性を有して外周面に連続する螺旋状の凹溝が形成された排水管を管継手に接続する方法であって、
該排水管の該凹溝に合成樹脂製の抜け止め部材を嵌入する第１の工程と、
該抜け止め部材の外周面及び該管継手の内周面に、接着剤を塗布後、該凹溝に該抜け止め部材が嵌入された該排水管に該管継手を圧入して、該抜け止め部材の外周面と該管継手の内周面を接着させる第２の工程と、を順に行なうことを特徴とする排水管の接続方法。
【請求項２】
該管継手は、挿入方向の中央部に内周面に沿って径方向内側に突出する突条が設けられたものが用いられ、
該抜け止め部材が、拡縮径可能な螺旋環状で一部を軸方向に沿って切断して形成され、該抜け止め部材の外周面が、該管継手の内周面と当接可能な平滑面に形成されたものが用いられていることを特徴とする請求項１記載の排水管の接続方法。
【請求項３】
該接着剤は、溶剤を含むとともに高粘度及び遅乾性を有するものが用いられていることを特徴とする請求項１又は２記載の排水管の接続方法。
【請求項４】
該第１の工程が、該排水管を支持部材によって固定した後、該抜け止め部材を嵌入する工程であり、
該第２の工程が、該排水管の該凹溝に嵌入された該抜け止め部材の外周面に接着剤を塗布するとともに、該管継手の内面に接着剤を塗布して、該管継手を、該抜け止め部材が嵌入された該排水管に外嵌して、押圧装置で該排水管の管軸方向に沿って押圧する工程であることを特徴とする請求項１、２又は３記載の排水管の接続方法。
【請求項５】
合成樹脂製で可撓性を有して外周面に連続する螺旋状の凹溝が形成された排水管と管継手との接続構造であって、
該凹溝に合成樹脂製の抜け止め部材が嵌入され、
該管継手が、該排水管の該凹溝に該抜け止め部材が嵌入された部分に外嵌され、
該抜け止め部材の外周面及と該管継手の内周面とが接着されていることを特徴とする排水管の接続構造。
【請求項６】
該管継手は、挿入方向の中央部に内周面に沿って径方向内側に突出する突条が設けられ、
該抜け止め部材が、拡縮径可能な螺旋環状で一部を軸方向に沿って切断して形成され、該抜け止め部材の外周面が、該管継手の内周面と当接可能な平滑面に形成されていることを特徴とする請求項５記載の排水管の接続構造。
【発明の詳細な説明】
【技術分野】
【０００１】
本発明は、外周面に凹溝を有する大口径（１５０φ以上）のフレキシブル排水管を接続する方法及び接続構造に関するものである。
【背景技術】
【０００２】
従来の螺旋状の凹溝を有するフレキシブル排水管を管継手に接続する接続構造として、特許文献１に記載されるものがあった。
【０００３】
特許文献１において、フレキシブル排水管は、外周面に螺旋状の凹溝と凸部を備え、管継手は、ニップル部と、ニップル部の先端方向に開口させた環状凹部を設けて配置されるスリーブ部とを備えていた。フレキシブル排水管は、接着剤を介してニップル部に外嵌されて、ホース外周面とスリーブ部内周面との間には、連結リングが介在していた。連結リングは、突状を凹溝に螺合させた状態で管継手のスリーブ部の内周面に接着されることにより、フレキシブル排水管の接続構造が構成されていた。
【０００４】
小口径（１５０φ未満）のフレキシブル排水管においては、流通量が多いため上述した専用の管継手及び連結リングを入手することが容易である。しかし、１５０φ以上の大口径のフレキシブル排水管においては、投資額に見合う売り上げが見込めないので流通量が少なく、上述した専用の管継手及び連結リングが入手困難であった。そのためフレキシブル排水管の螺旋状の凸部の表面に接着剤を塗布するとともに、当該管継手の内周面に接着剤を塗布して、当該管継手をフレキシブル排水管に圧入して、当該管継手とフレキシブル排水管を接着して接続することが行われていた。
【先行技術文献】
【特許文献】
【０００５】
【特許文献１】特開平１１−３７３７８号公報
【発明の概要】
【発明が解決しようとする課題】
【０００６】
上述したフレキシブル排水管では、ホースの凸部の表面は平滑面に形成されていなため、大口径のフレキシブル排水管を接続する場合には、管継手との接着面積が少なく、接着させるだけではフレキシブル排水管が管継手から抜けてしまうおそれがあった。
【０００７】
本発明は、上記事情に鑑み、外周面に凹溝を有する大口径のフレキシブル排水管でも管継手から抜けない接続方法及び接続構造を提供するものである。
【課題を解決するための手段】
【０００８】
請求項１記載の発明は、合成樹脂製で可撓性を有して外周面に連続する螺旋状の凹溝が形成された排水管を管継手に接続する方法であって、
該排水管の該凹溝に合成樹脂製の抜け止め部材を嵌入する第１の工程と、
該抜け止め部材の外周面及び該管継手の内周面に、接着剤を塗布後、該凹溝に該抜け止め部材が嵌入された該排水管に該管継手を圧入して、該抜け止め部材の外周面と該管継手の内周面を接着させる第２の工程と、を順に行なうことを特徴とする。
【０００９】
請求項２記載の発明は、該管継手は、挿入方向の中央部に内周面に沿って径方向内側に突出する突条が設けられたものが用いられ、
該抜け止め部材が、拡縮径可能な螺旋環状で一部を軸方向に沿って切断して形成され、該抜け止め部材の外周面が、該管継手の内周面と当接可能な平滑面に形成されたものが用いられていることを特徴とする。
【００１０】
請求項３記載の発明は、該接着剤は、溶剤を含むとともに高粘度及び遅乾性を有するものが用いられていることを特徴とする。
【００１１】
請求項４記載の発明は、該第１の工程が、該排水管を支持部材によって固定した後、該抜け止め部材を嵌入する工程であり、
該第２の工程が、該排水管の該凹溝に嵌入された該抜け止め部材の外周面に接着剤を塗布するとともに、該管継手の内面に接着剤を塗布して、該管継手を、該抜け止め部材が嵌入された該排水管に外嵌して、押圧装置で該排水管の管軸方向に沿って押圧する工程であることを特徴とする。
【００１２】
請求項５記載の発明は、合成樹脂製で可撓性を有して外周面に連続する螺旋状の凹溝が形成された排水管と管継手との接続構造であって、
該凹溝に合成樹脂製の抜け止め部材が嵌入され、
該管継手が、該排水管の該凹溝に該抜け止め部材が嵌入された部分に外嵌され、
該抜け止め部材の外周面及と該管継手の内周面とが接着されていることを特徴とする。
【００１３】
請求項６記載の発明は、該管継手は、挿入方向の中央部に内周面に沿って径方向内側に突出する突条が設けられ、
該抜け止め部材が、拡縮径可能な螺旋環状で一部を軸方向に沿って切断して形成され、該抜け止め部材の外周面が、該管継手の内周面と当接可能な平滑面に形成されていることを特徴とする。
【発明の効果】
【００１４】
請求項１記載の発明では、排水管の凹溝に合成樹脂製の抜け止め部材を嵌入する第１の工程と、抜け止め部材の外周面及び管継手の内周面に、接着剤を塗布後、凹溝に該抜け止め部材が嵌入された排水管に該管継手を圧入して、抜け止め部材の外周面と管継手の内周面を接着させる第２の工程と、を順に行なうことで、管継手の内周面に抜け止め部材が接着して管継手と一体化した凸状の突起が形成されて、外管の凹溝に引っ掛かるため、管継手から排水管が抜けることを防止できる。
【００１５】
請求項２記載の発明では、管継手には、挿入方向の中央部に内周面に沿って径方向内側に突出する突条を設けたものを用い、抜け止め部材を、拡縮径可能な螺旋輪管状で一部を軸方向に沿って切断して形成したものが用いられている。これにより、排水管に管継手を圧入する際、突条に押圧された抜け止め部材が、径方向外側に拡径するため管継手の内周面を押圧する。また、抜け止め部材の外周面を管継手の内周面と当接可能な平滑面に形成したものが用いられているので、接着面積が大きくなる。よって、管継手と抜け止め部材との接着を強固なものとすることができる。
【００１６】
請求項３記載の発明では、接着剤に溶剤を含むとともに高粘度及び遅乾性を有するものを用いることで、接着剤が管継手と抜け止め部材を溶かしながら潤滑剤の働きをするとともに、接着作業中に接着剤が乾いて接着できなくなることがなくなり、管継手と抜け止め部材の接着作業を確実に行なうことができる。
【００１７】
請求項４記載の発明では、第１の工程を、排水管を支持部材によって固定した後、抜け止め部材を嵌入する工程とし、第２の工程を、排水管の凹溝に嵌入した抜け止め部材の外周面に接着剤を塗布するとともに、管継手の内面に接着剤を塗布して、管継手を抜け止め部材が嵌入された排水管に外嵌して、押圧装置で排水管の管軸方向に沿って押圧する工程としている。これにより、固定された排水管に対して押圧装置で管継手を圧入することになるので、迅速かつ確実に管継手と抜け止め部材の接着作業を行なうことができる。
【００１８】
請求項５記載の発明では、排水管の凹溝に合成樹脂製の抜け止め部材を嵌入して、管継手を排水管の凹溝に抜け止め部材が嵌入された部分に外嵌して、抜け止め部材の外周面及と管継手の内周面とを接着することで、管継手の内周面に抜け止め部材が接着して管継手と一体化した凸状の突起が形成されて、外管の凹溝に引っ掛かるため管継手から排水管が抜けることを防止できる。
【００１９】
請求項６記載の発明では、管継手の挿入方向の中央部に内周面に沿って径方向内側に突出する突条を設け、抜け止め部材を、拡縮径可能な螺旋環状で一部を軸方向に沿って切断して形成して、抜け止め部材の外周面を、管継手の内周面と当接可能な平滑面に形成している。これにより、排水管に管継手を圧入する際、突条に押圧された抜け止め部材が、径方向外側に拡径するため管継手の内周面を押圧する。また、外周面を管継手の内周面と当接可能な平滑面に形成したものが用いられているので、接着面積が大きくなる。よって、管継手と抜け止め部材との接着を強固なものとすることができる。
【図面の簡単な説明】
【００２０】
【図１】本発明における一実施形態の接続方法で取り付けられた排水管の接続構造を示す断面図である。
【図２】図１における分解斜視図である。
【図３】抜け止め部材が嵌入された排水管を支持部材によって固定した状態を示す状態図である。
【図４】本発明における一実施形態の抜け止め部材が排水管に嵌入される前の状態を示す斜視図である。
【図５】抜け止め部材が排水管に嵌入された状態を示す斜視図である。
【図６】接着剤を塗布した状態を示す斜視図である。
【図７】管継手を押圧装置によって押圧して抜け止め部材が嵌入された排水管に圧入する状態を示す状態図である。
【発明を実施するための形態】
【００２１】
本発明における排水管の接続方法の一実施形態を図面に基づいて説明する。
【００２２】
図１に示すとおり、排水管の接続構造（以下、「接続構造」という。）１は、凹溝２１を有した排水管２と、凹溝２１に嵌入される抜け止め部材３と、抜け止め部材３が嵌入された排水管（以下、「嵌入済排水管２２」という。）２に外嵌される管継手４と、で構成されている。  
【００２３】
排水管２は、図１に示すように、外管５の内周面で内管６が融着され、外周面に螺旋状の凹溝２１が形成されている。
【００２４】
外管５は、硬質塩化ビニル製で片肉断面が山部５１と谷部５２を連接して形成された単体管部５３を、互いに隣接した単体管部５３の山部５１と谷部５２をそれぞれ係合させて、内外周面にそれぞれ連続する螺旋状の凹溝２１、５４を形成して直管状に形成されている。
【００２５】
内管６は、軟質塩化ビニル製で内外周面が平滑で直管状に形成されている。
【００２６】
抜け止め部材３は、硬質塩化ビニル製で内外周面が平滑で直管状に形成されたパイプを、図２に示すように、螺旋環状で一部を軸方向に沿って切断することにより、拡縮径可能なばね状に形成されている。抜け止め部材３の外周面は、管継手４の内周面と当接可能な平滑面に形成されている。抜け止め部材３の径方向の断面は、図１に示すように、凹溝２１の片肉断面と略同形の矩形状に形成されている。
【００２７】
管継手４は、図１、２に示すように、硬質塩化ビニル製で両端が開口した円筒状に形成され、挿入方向の中央部に内周面に沿って径方向内側に突出する突条４１が設けられている。管継手４の両端の開口縁４２、４２から突条４１に向かってそれぞれ狭小となるテーパ面４３、４３が形成されている。
【００２８】
上述した構成部材による排水管の接続方法について図面を用いて説明する。以下、管径が２００φの排水管について説明する。
【００２９】
図３に示すように、作業台に支持された支柱８１と、支柱８１に装着された半円筒形状の下板８２と、下板８２に対向して半円筒形状の配置された上板８３と、締結部材８４と、で構成された支持部材８で排水管２を固定する。
【００３０】
図４、５に示すように、抜け止め部材３を三つ用意して、抜け止め部材３の両端部を広げて排水管２の端部の凹溝２１へ順に嵌入する。排水管２の挿入方向の端縁から抜け止め部材３が突出しないように配置して、嵌入済排水管２２を形成する。
【００３１】
図６に示すように、嵌入済排水管２２の挿入方向の端縁から抜け止め部材３が、嵌入されている部分の外周面まで（灰色部分１０）と、管継手４の圧入する側のテーパ面４３に（灰色部分１１）、溶剤を含むとともに高粘度及び遅乾性を有する接着剤７を塗布する。
【００３２】
管継手４を嵌入済排水管２２に外嵌して、図７に示すように、押圧装置９で排水管２の管軸方向に沿って押圧することで、抜け止め部材３の外周面と管継手４の内周面を接着する。
【００３３】
本実施形態の排水管の接続方法で接続された接続構造１では、排水管２の凹溝２１に合成樹脂製の抜け止め部材３を嵌入する第１の工程と、抜け止め部材３の外周面及び管継手４の内周面に、接着剤７を塗布後、嵌入済排水管２２に管継手４を圧入して、抜け止め部材３の外周面と該管継手４の内周面を接着させる第２の工程と、を順に行なうことで、図１に示すように、管継手４の内周面に抜け止め部材３が接着して管継手４と一体化した凸状の突起が形成されて、外管５の凹溝２１に引っ掛かるため管継手４から排水管２が抜けることを防止できる。
【００３４】
また、管継手４には、挿入方向の中央部に内周面に沿って径方向内側に突出する突条４１を設けたものを用い、抜け止め部材３を、拡縮径可能な螺旋輪管状で一部を軸方向に沿って切断して形成したものが用いられている。これにより、嵌入済排水管２２に管継手４を圧入する際、突条４１に押圧された抜け止め部材３が、径方向外側に拡径するため管継手４の内周面を押圧する。また、抜け止め部材３の外周面を管継手４の内周面と当接可能な平滑面に形成しているので、接着面積が大きくなる。よって、管継手４と抜け止め部材３との接着を強固なものとすることができる。
【００３５】
また、管継手４の両端の開口縁４２、４２から突条４１に向かって狭小となるそれぞれのテーパ面４３、４３を形成することで、抜け止め部材３が、径方向外側に拡径する力を高め、管継手４と抜け止め部材３との接着をより強固なものとすることができる。
【００３６】
また、接着剤７に溶剤を含むとともに高粘度及び遅乾性を有するものを用いることで、接着剤７が管継手４と抜け止め部材３を溶かしながら潤滑剤の働きをするとともに、接着作業中に接着剤７が乾いて接着できなくなることがなくなり、管継手４と抜け止め部材３の接着作業を確実に行なうことができる。
【００３７】
また、第１の工程を、排水管２を支持部材８によって固定した後、抜け止め部材３を嵌入する工程とし、第２の工程を、排水管２の凹溝２１に嵌入した抜け止め部材３の外周面に接着剤７を塗布するとともに、管継手４の内面に接着剤７を塗布して、管継手４を嵌入済排水管２２に外嵌して、押圧装置９で排水管２の管軸方向に沿って押圧する工程としている。これにより、固定された嵌入済排水管２２に対して押圧装置９で管継手４を圧入することになるので、迅速かつ確実に管継手４と抜け止め部材３の接着作業を行なうことができる。
【００３８】
本発明の実施形態は、上述したものにはこだわらない。例えば、抜け止め部材３は、管径が２００φの排水管では、三つ用いたが、管径の大小により、管径が１５０φのときには二つ用いたり、管径が２００φを超える排水管では四つ以上用いたりこともできる。また、複数の抜け止め部材３をばね状に一体形成することもできる。
【００３９】
また、抜け止め部材３を凹溝２１に嵌入する際、５ｍｍ程度の間隔を空けてもよい。これにより、抜け止め部材３が凹溝２１内を摺動し易くなるため、抜け止め部材３が拡径しやすくすることができる。
【００４０】
管継手４は、テーパ面４３、４３が形成されているものを用いているが、一般に市販されている硬質塩化ビニル製の管継手（ソケット、インクリーザ、排水用バルブソケット、排水用バルブエルボ等）を用いることができる。
【００４１】
本実施形態では、嵌入済排水管２２の挿入方向の端縁から抜け止め部材３が、嵌入されている部分の外周面までと、管継手４の圧入する側のテーパ面４３に、接着剤７を塗布しているが、少なくとも、抜け止め部材３の外周面及び管継手４の内周面に接着剤７を塗布すればよい。
【符号の説明】
【００４２】
１  排水管の接続構造
２  排水管
２１  凹溝
２２  嵌入済排水管
３  抜け止め部材
４  管継手
４１  突条
７  接着剤
８  支持部材
９  押圧装置
【図１】
2011190842.tif 000003
【図２】
2011190842.tif 000004
【図３】
2011190842.tif 000005
【図４】
2011190842.tif 000006
【図５】
2011190842.tif 000007
【図６】
2011190842.tif 000008
【図７】
2011190842.tif 000009